(57)【特許請求の範囲】
【請求項１】
揮発性薬剤を保管する、フレシキブルな成形容器と矩形段ボールとレバーコックが組み合された複合容器を保管し、かつ、前記複合容器から揮発性薬剤を注液する装置であって、
揮発性薬剤が注液される容器が載置される作業スペース部と、
前記作業スペース部の後側に前記複合容器相当の幅および奥行きを確保して連設され、揮発性薬剤が充填された前記複合容器が載置される複合容器載置台と、
前記作業スペース部の左側および複合容器載置台の左側に連設される左壁部と、
前記作業スペース部の右側および複合容器載置台の右側に連設される右壁部と、
前記複合容器載置台の後側に連設される後壁部と、
前記複合容器載置台前側面に設けられる第１吸引機構と、
前記左壁部内側面に設けられる第２吸引機構と、
前記右壁部内側面に設けられる第３吸引機構と、
前記第１吸引機構、前記第２吸引機構および第３吸引機構の風下側に連通し、外部の排風機と接続可能な排気ダクトと、
前記左壁部、右壁部、および後壁部により形成される開放面を遮蔽する開放面遮蔽手段と、
開放面遮蔽状態を維持したまま施錠する施錠手段と、
前記開放面遮蔽手段に設けられる通気口と、
前記作業スペース部と複合容器載置台とから構成され、複合容器載置台に載置されている複合容器から作業スペース部に載置されている容器に揮発性薬剤を注液する注液機構と、
前記左壁部と右壁部と後壁部と開放面遮蔽手段と施錠手段と通気口とから構成される保管機構と、
前記複合容器載置台上面に設けられるスライド板と、前記左壁部および右壁部のスライド板相当位置に設けられるスライドレールとから構成され、前記スライド板を前後にスライド可能とする複合容器スライド機構
を備えることを特徴とする揮発性薬剤注液装置。
【請求項２】
前記作業スペース部および作業スペース部下部に設けられる濾過機構と、
前記濾過機構の下部と連通する廃液タンクと
を備えることを特徴とする請求項１記載の揮発性薬剤注液装置。
【請求項３】
前記濾過機構と前記廃液タンクとの連通パイプの途中に設けられる切替弁と、
前記切替弁にて連通パイプから分岐して連通するシンクと
を備えることを特徴とする請求項２記載の揮発性薬剤注液装置。
【請求項４】
前記濾過機構から前記廃液タンクへの連通パイプの先端には、伸縮機構が設けられ、
前記廃液タンクには、前記廃液タンクを水平方向にスライド可能とする廃液タンクスライド機構が設けられ、
前記伸縮機構は、
前記濾過機構から廃液タンクへ廃液を導くときは伸び、連通パイプ先端を廃液タンク注入口に挿入し、
前記廃液タンクがスライドするときは縮み、連通パイプ先端を廃液タンク注入口から抜去する
ことを特徴とする請求項２または３記載の揮発性薬剤注液装置。
【請求項５】
前記廃液タンクには、前記廃液タンクスライド機構によるスライドと直角方向のスライドを抑制する廃液タンクスライド抑制機構が設けられている
ことを特徴とする請求項４記載の揮発性薬剤注液装置。
【発明の詳細な説明】
【技術分野】
【０００１】
本発明は揮発性薬剤を容器に注液する際に用いる装置に関する。
【背景技術】
【０００２】
病院の病理検査において、検体臓器をホルマリンに浸して固定（細胞組織形態が変化するのを防止）する作業が行われている。ホルマリンはキュービーテナー（登録商標）（以下同じ）に収容された状態で搬送され保管されている。キュービーテナーから容器に注入する際に、ホルマリンからホルムアルデヒドが揮発するおそれがある。なお、キュービーテナーは、フレシキブルな成形容器と矩形段ボールとレバーコックが組み合された複合容器である。
【０００３】
一方、特定化学物質障害予防規則が改正され、例えばホルムアルデヒドや１，３−ブタンジエン、硫酸ジエチルの取扱いには大きな注意が要求されるようになった。病理検査室内においても、ホルムアルデヒドが拡散しないことが求められている。例えば、本願出願人は、吸引機能を有する切り出しテーブルを提案している（特許文献１参照）。
【０００４】
同様に、揮発性薬剤を容器に注液する際や、廃液作業の際にも、ホルムアルデヒドが拡散しないことが求められている。これに対し、ドラフトチャンバー（特許文献２）内での作業が一般的である。
【先行技術文献】
【特許文献】
【０００５】
【特許文献１】特開２０１４−０４０９４９号公報
【特許文献２】特開２０１２−０２１７５２号公報
【発明の概要】
【発明が解決しようとする課題】
【０００６】
しかしながら、ドラフトチャンバー内の作業は作業性が悪い。ドラフトチャンバーを用いず、室内に設置されたキュービーテナーを開閉して容器に注液すれば、ホルムアルデヒドが室内に拡散することになる。廃液作業にも同様の課題がある。
【０００７】
本発明は、上記課題を解決するものであり、揮発性薬剤を容器に注液する際に発生する気体の拡散を抑制できる装置を提供することを目的とする。
【課題を解決するための手段】
【０００８】
上記課題を解決するために、本発明に係る揮発性薬剤注液装置は、揮発性薬剤が注液される容器が載置される作業スペース部と、前記作業スペース部の後側に連設され、揮発性薬剤が充填されたキュービーテナーが載置されるキュービーテナー載置台と、前記作業スペース部の左側に連設される左壁部と、前記作業スペース部の右側に連設される右壁部と、前記キュービーテナー載置台前側面に設けられる第１吸引機構と、前記左壁部内側面に設けられる第２吸引機構と、前記右壁部内側面に設けられる第３吸引機構と、前記第１吸引機構、前記第２吸引機構および第３吸引機構の風下側に連通し、外部の排風機と接続可能な排気ダクトとを備える。
【０００９】
これにより、キュービーテナー載置台に載置されたキュービーテナーから作業スペース部に載置された容器へ揮発性薬剤が注液される。注液作業時に有害気体が発生しても、吸引機構により有害気体の拡散を抑制できる。
【００１０】
上記発明において、好ましくは、前記キュービーテナー載置台の後側に連設される後壁部と、前記左壁部、右壁部、および後壁部により形成される開放面を遮蔽する開放面遮蔽手段と、開放面遮蔽状態を維持したまま施錠する施錠手段と、前記開放面遮蔽手段に設けられる通気口とを備える。
【００１１】
これにより、本装置の形状を利用して、保管機構を形成できる。保管機構により移動することなく、確実にキュービーテナーを保管できる。
【００１２】
上記発明において、好ましくは、前記キュービーテナー載置台上面に設けられるスライド板と、前記左壁部および右壁部のスライド板相当位置に設けられるスライドレールとから構成され、前記スライド板を前後にスライド可能とするキュービーテナースライド機構を備える。
【００１３】
これにより、本装置の形状を利用して、キュービーテナースライド機構を形成できる。キュービーテナースライド機構により、キュービーテナー設置作業が容易になり、注液作業時の位置調整が可能になる。
【００１４】
上記課題を解決するために、本発明に係る揮発性薬剤注液装置は、揮発性薬剤が注液される容器が載置される作業スペース部と、前記作業スペース部の後側に連設され、揮発性薬剤が充填されたキュービーテナーが載置されるキュービーテナー載置台と、前記キュービーテナー載置台前側面に設けられる第１吸引機構と、前記第１吸引機構の風下側に連通し、外部の排風機と接続可能な排気ダクトと、前記作業スペース部および作業スペース部下部に設けられる濾過機構と、前記濾過機構の下部と連通する廃液タンクとを備える。
【００１５】
上記発明において、好ましくは、前記作業スペース部および作業スペース部下部に設けられる濾過機構と、前記濾過機構の下部と連通する廃液タンクとを備える。
【００１６】
本装置は廃液濾過作業時に発生する有害気体の拡散を抑制できる。
【００１７】
上記発明において、好ましくは、前記濾過機構から前記廃液タンクへの連通パイプの先端には、伸縮機構が設けられ、前記廃液タンクには、前記廃液タンクを水平方向にスライド可能とする廃液タンクスライド機構が設けられ、前記伸縮機構は、前記濾過機構から廃液タンクへ廃液を導くときは伸び、連通パイプ先端を廃液タンク注入口に挿入し、前記廃液タンクがスライドするときは縮み、連通パイプ先端を廃液タンク注入口から抜去する。
【００１８】
上記発明において、好ましくは、前記廃液タンクには、前記廃液タンクスライド機構によるスライドと直角方向のスライドを抑制する廃液タンクスライド抑制機構が設けられている。
【００１９】
これにより、廃液タンクの取り出し及び再設置が容易になる。
【００２０】
上記発明において、好ましくは、前記濾過機構と前記廃液タンクとの連通パイプの途中に設けられる切替弁と、前記切替弁にて連通パイプから分岐して連通するシンクとを備える。
【００２１】
これにより、不経済となることなく、洗浄作業ができる。
【発明の効果】
【００２２】
本発明の装置によれば、揮発性薬剤を容器に注液する際に発生する気体の拡散を抑制できる。
【図面の簡単な説明】
【００２３】
【図１】装置概略斜視図（使用状態）
【図２】装置正面図
【図３】装置側面図
【図４】装置平面図
【図５】吸引機構詳細
【図６】注液作業説明図
【図７】キュービーテナー設置作業説明図
【図８】装置概略斜視図（保管状態）
【図９】保管作業説明
【図１０】伸縮ノズル詳細図
【図１１】廃液濾過作業説明図
【図１２】廃液タンクスライド機構詳細図
【図１３】洗浄機構概略図
【発明を実施するための形態】
【００２４】
〜注液機構および吸引機構〜
図１は装置の全体概略斜視図であり、図２は全体正面図であり、図３は全体側面図であり、図４は全体平面図である。
【００２５】
本装置は揮発性薬剤（例えばホルマリン、以下ホルマリンを中心に説明する）を容器に注液する際に用いるものである。装置使用者を基準に左右等の位置について記載する。なお、寸法表記については各機能の理解を補助するための一例であり、各数値に限定されるものではない。
【００２６】
装置は、装置上部と装置下部とから構成される。吸引機構１０は装置上部に内装される。まず、装置上部について説明し、装置下部については後述する。
【００２７】
装置上部は、作業スペース部１と、キュービーテナー載置台２と、左壁部３と、右壁部４と、後壁部５と、排気ダクト６とを備える。
【００２８】
作業スペース部１には、ホルマリンが注液される容器が載置される。作業スペース部１は幅約４００×奥行約３５０ｍｍ程度の平面であることが好ましい。また、作業容易性の観点から作業スペース部１の平面が床面より約８００ｍｍ（平均的な腰位置前後）に位置することが好ましい。
【００２９】
キュービーテナー載置台２は、作業スペース部１の後側に作業スペース部１より約２００ｍｍ程度高くなるように連設されており、ホルマリンが充填されたキュービーテナーが載置される（より正確にはスライド板２１を介して載置）。キュービーテナーは、約３００×３００×３００ｍｍ程度の立方体であることが一般的である。したがって、キュービーテナー載置台２上面は幅約４００×奥行約３５０ｍｍ程度の平面であることが好ましい。
【００３０】
なお、作業スペース部１とキュービーテナー載置台２とは、注液機構を構成する。注液機構は本装置の必須の構成である。
【００３１】
左壁部３は、作業スペース部１の左側に立設され、かつ、キュービーテナー載置台２の左側面と連設される。したがって奥行は約７００ｍｍ程度となる。さらに、内部に吸引機構（の一部）が形成されるため、幅４０〜５０ｍｍであることが好ましい。また、左壁部３は保管機構（後述）の一部を構成するため、高さ約６００ｍｍ程度であることが好ましい。
【００３２】
右壁部４は、作業スペース部１の右側に立設され、かつ、キュービーテナー載置台２の右側面と連設される。したがって奥行は約７００ｍｍ程度となる。さらに、内部に吸引機構（の一部）が形成されるため、幅４０〜５０ｍｍであることが好ましい。また、右壁部４は保管機構（後述）の一部を構成するため、高さ約６００ｍｍ程度であることが好ましい。
【００３３】
後壁部５は、キュービーテナー載置台２の後側に連設されるとともに、左壁部３および右壁部４と連続して、内部に吸引機構（の一部）が形成される。例えば、幅約５００×厚さ約７０ｍｍ×高さ約７５０ｍｍとする。
【００３４】
排気ダクト６は、後壁部５上面に連設され、外部の排風機と接続される。
【００３５】
次に吸引機構の構成について説明する。図５は吸引機構の詳細図である。
【００３６】
吸引機構１０は、第１吸引機構１１と第２吸引機構１２と第３吸引機構１３と吸引経路１４，１５とを備える。
【００３７】
第１吸引機構１１は、キュービーテナー載置台２前側面に設けられた多数の通気孔と、キュービーテナー載置台２内部に設けられた空間と、該空間に流路方向に沿って設置された整流板とから構成される。
【００３８】
第２吸引機構１２は、左壁部３内側面（作業スペース部１に対応する位置）に設けられた多数の通気孔と、左壁部３内部に設けられた空間と、該空間に流路方向に沿って通風方向の長さが異なる複数設置された整流板とから構成される。外側の通風経路が長く、内側の通風経路が短い。
【００３９】
第３吸引機構１３は、右壁部４内側面（作業スペース部１に対応する位置）に設けられた多数の通気孔と、右壁部４内部に設けられた空間と、該空間に流路方向に沿って通風方向の長さが異なる複数設置された整流板とから構成される。外側の通風経路が長く、内側の通風経路が短い。
【００４０】
通気孔はパンチングメタルとよばれる打ち抜き加工して形成された金属板として形成される。整流板の作用により均等に吸引誘導できる。
【００４１】
第１吸引機構１１の経路と第２吸引機構１２の経路とは合流し、吸引経路１４に連通する。第１吸引機構１１の経路と第３吸引機構１３の経路とは合流し、吸引経路１５に連通する。吸引経路１４，１５は、後壁部５内部にて合流し、風下側にて排気ダクト６に連通する。
【００４２】
本装置の吸引機構に係る作用および効果について説明する。図６は注液作業時の使用状態を説明する図である。
【００４３】
ホルマリンが充填されたキュービーテナーがキュービーテナー載置台２上面に載置され、レバーコックが使用者方向に向いている。
【００４４】
容器を作業スペース部１であってレバーコック直下に置き、レバーコックを開くと、ホルマリンが容器に注液される。所定量注液した時点でレバーコックを閉じる。
【００４５】
装置前面は開放されており、使用者は容易にキュービーテナーにアクセスできる。使用者が小柄な場合や、容器口位置の調整が難しい場合など、スライド機構（後述）により引き出す様に調整してもよい。これにより、よりアクセス容易になり、確実に注液できる。
【００４６】
注液の際、ホルマリンの一部が揮発し、ホルムアルデヒドが拡散する。なお、ホルムアルデヒドの比重は空気より若干重い。
【００４７】
本装置において、作業スペース部１はキュービーテナー載置台２（後壁部５）と、左壁部３と、右壁部４の三方により囲まれ、第１吸引機構１１と第２吸引機構１２と第３吸引機構１３とが作動し、ホルムアルデヒドを吸引する。
【００４８】
ホルムアルデヒドの上方への拡散のおそれは低く、前方への拡散のおそれは残るが、その影響は限定的である。
【００４９】
本願発明者は試験機を用いて性能評価を行った。排気装置のない状態で、キュービーテナーから容器への注液作業をおこなった場合、ホルムアルデヒド濃度は3.5〜10.0PPMであり、基準値（0.1PPM）を大きく上回った。これに対し、本装置を用いた場合、ホルムアルデヒド濃度は0.02〜0.05PPMであり、基準値（0.01PPM）を大きく下回った。このように充分な吸引効果が確認された。
【００５０】
〜キュービーテナースライド機構〜
本装置は、キュービーテナースライド機構２０を備える（図１〜３参照）。キュービーテナースライド機構２０は、スライド板２１と、左右一組のスライドレール２２，２２とから構成される。
【００５１】
スライドレール２２，２２は、左壁部３および右壁部４の側面であって、キュービーテナー載置台２上面相当位置に設けられている。
【００５２】
スライド板２１は、キュービーテナー載置台２上面に設けられ、かつ、左右両端がスライドレール２２，２２に前後にスライド可能に係止される。
【００５３】
キュービーテナーはスライド板２１を介してキュービーテナー載置台２に載置される。これによりスライド板２１上のキュービーテナーは前後方向にスライド可能になる。
【００５４】
図７はキュービーテナー設置作業時の使用状態を説明する図である。
【００５５】
一般的なキュービーテナーの重量は２０ｋｇ程度である。一方で、病理検査では女性が従事することも多い。非力な女性が、作業スペース部１の奥にあるキュービーテナー載置台２にキュービーテナーを載置することは、困難なこともある。
【００５６】
本装置のスライド機構を用いれば、使用者は、スライド板２１を手前まで引出し、キュービーテナーを載置し、スライド板２１を元の位置まで戻す。これにより、使用者は容易に、キュービーテナーを載置できる。
【００５７】
スライドレール２２，２２は左壁部３および右壁部４の側面に設けられ、上下方向に幅（例えば５０ｍｍ）を有する。スライド板が引き出されかつ、キュービーテナーが載置されると、支点を中心に大きなモーメントが発生するが、スライドレール２２，２２は上下方向に幅を有するため剛性が高く、大きなモーメントに耐えることができる。
【００５８】
本装置のキュービーテナースライド機構は、装置形状（特に左壁部３および右壁部４）を利用するものである。
【００５９】
〜保管機構〜
作業時に揮発性薬剤から揮発する有害気体の管理（抑制）と同様に、揮発性薬剤の保管管理についても大きな注意が要求されるようになった。一方で、厳重に保管管理された倉庫から病理検査の現場までキュービーテナーを移動するのは手間であった。
【００６０】
本装置は、保管機構３０を備える。図１が装置使用時の全体概略斜視図であるのに対し、図８がキュービーテナー保管時の全体概略斜視図である。図９はキュービーテナー保管作業を説明する図である。
【００６１】
保管機構３０は、上面カバー３１と前面カバー３２とインサイドロック３３とを備える。
【００６２】
本装置では、左壁部３、右壁部４、および後壁部５により開放面が形成される。言い換えると、上方と前方が開放されている（図１参照）。
【００６３】
保管状態において、上面カバー３１は装置上方を遮蔽し、前面カバー３２は装置前方を遮蔽する。インサイドロック３３は遮蔽状態を維持するように施錠する。具体的には、例えば、前面カバー３２に設けられた孔と右壁部４に設けられた孔とにシャフトが貫通している。
【００６４】
前面カバー３２には、多数の通気孔３４が設けられている。キュービーテナー保管時にも吸引機構が作動（通常動作の半分程度でもよい）することで、保管時の微小な拡散も抑制できる。その際、通気孔３４があるため、装置内部が負圧にならない。
【００６５】
上面カバー３１の一端は、回動可能に左壁部３、右壁部４または後壁部５と連設され、上面カバー３１の他端は、回動可能に前面カバー３２に連設されている。
【００６６】
使用状態において、インサイドロック３３は解除され、上面カバー３１および前面カバー３２は回動し、前面カバー３２の下端は左壁部３、右壁部４上面に設けられた係止部（図示省略）に係止される。このとき、作業スペース部１上方の空間は開放されることが好ましい。
【００６７】
以上のように、本装置は、保管状態と使用状態の切替が容易である。キュービーテナー移動の手間が不要である。
【００６８】
なお、上面カバー３１と前面カバー３２は開放面遮蔽手段を構成するが、開放面遮蔽手段は左壁部３および右壁部４の上面から前面に沿ったシャッター機構でもよい。
【００６９】
本装置の保管機構は、３方を閉鎖する装置形状を利用するものである。
【００７０】
〜廃液濾過機構〜
本装置は、廃液濾過機構４０を備える（図１〜４参照）。本装置は装置上部と装置下部とから構成され、廃液濾過機構４０は装置下部に内装される。装置下部について説明する。
【００７１】
装置下部は天板部７と、脚部８，８と、下部空間９とを備える。立設された脚部８，８の上部に天板部７が連設される。作業スペース部１は天板部７上面に相当する。天板部７の下方であって脚部８，８との間に下部空間９が形成される。
【００７２】
廃液濾過機構４０は、蓋部４１と第１濾過空間４２と濾過板４３と第２濾過空間４４と廃液パイプ４５と伸縮ノズル４６とを備える。
【００７３】
蓋部４１は、作業スペース部１を構成し、天板部７上面に設けられている。蓋部４１には回転取手が設けられており、回転取手を掴むことにより取外し可能である。
【００７４】
第１濾過空間４２は、蓋部４１の下方に設けられ、たとえば、幅約３００×奥行約２５０ｍｍ×深さ７０ｍｍ程度の空間である。
【００７５】
第２濾過空間４４は、第１濾過空間４２に連続して下方に設けられ、たとえば、深さ３０ｍｍ程度であり、廃液パイプ４５に向かって角錐状に縮小している。
【００７６】
濾過板４３は、第１濾過空間４２と第２濾過空間４４との間に取外し可能に係止されている。濾過板４３には回転取手が設けられており、回転取手を掴むことにより取外し可能である。濾過板４３にはパンチングメタルとよばれる打ち抜き加工がされている。
【００７７】
廃液パイプ４５は第２濾過空間４４の最深部と連設され、更に下方に延設されている。廃液パイプ４５の最下端には、伸縮ノズル４６が設けられている。
【００７８】
伸縮ノズル４６は、廃液パイプ４５より一回り拡径された拡径部を有し、拡径部が廃液パイプ４５最下端に設けられた係止部に係止される。この状態が伸びた状態である。係止を解除して伸縮ノズル４６を上方に引き上げると縮んだ状態になる。図１０は伸縮ノズルの詳細図である。
【００７９】
伸縮ノズル４６は伸びた状態で廃液タンク口に挿入される。なお、廃液タンクを取り出す際は、縮んだ状態とする（後述）。
【００８０】
本装置の廃液濾過機構に係る作用および効果について説明する。図１１は廃液作業時の使用状態を説明する図である。
【００８１】
病院の病理検査において、容器にホルマリンを注液し、検体臓器を固定する。検査においては、検体臓器を取り出して一部を切り出す。その際、容器内のホルマリンは廃液となる。
【００８２】
蓋部４１を取外し、第１濾過空間４２上方を開口させる。濾過板４３上に濾紙を設置する。容器を逆さまにして、廃液を第１濾過空間４２に供給する。
【００８３】
この際、第１濾過空間４２上方（作業スペース１上方）の空間は開放されおり、容易に廃液作業ができる。
【００８４】
廃液は、濾紙および濾過板４３により濾過され、第２濾過空間４４と廃液パイプ４５を介して、廃液タンクに導かれる。濾紙および残留物は焼却処分される。
【００８５】
ところで、廃液する際に、ホルマリンからホルムアルデヒドが揮発する。本装置において、吸引機構１０が作動し、ホルムアルデヒドを吸引する。
【００８６】
本願発明者は試験機を用いて性能評価を行った。排気装置のない状態で、廃液作業をおこなった場合、ホルムアルデヒド濃度は2.0〜6.0PPMであり、基準値（0.1PPM）を大きく上回った。これに対し、本装置を用いた場合、ホルムアルデヒド濃度は0.02〜0.05PPMであり、基準値（0.01PPM）を大きく下回った。このように充分な吸引効果が確認された。
【００８７】
このように、本装置は廃液濾過にも適用できる。
【００８８】
〜廃液タンクスライド機構〜
本装置は、廃液タンクスライド機構５０を備える（図１〜３参照）。図１２は廃液タンクスライド機構の詳細図である。
【００８９】
廃液タンクスライド機構５０は、キャスター付スライド台５１と、左右一組のスライドレール５２，５２とから構成される。
【００９０】
スライドレール５２，５２は、脚部８，８の内側面であって、床面近傍位置に設けられている。
【００９１】
キャスター付スライド台５１は、床面に置かれ、かつ、左右両端がスライドレール５２，５２に前後にスライド可能に係止される。
【００９２】
廃液タンクはキャスター付スライド台５１に載置される。これによりキャスター付スライド台５１上の廃液タンクは前後方向にスライド可能になる。
【００９３】
廃液タンクを取り出す際は、伸縮ノズル４６を持ち上げて縮んだ状態として廃液タンク口から抜去し、キャスター付スライド台５１を前方に引き出す。
【００９４】
これにより、廃液が溜まり重くなった廃液タンクを容易に移動できる。廃液は産業廃棄物として処理される。
【００９５】
ところで、キャスター付スライド台５１はスライドレール５２，５２にガイドされ、スライド方向と直交方向の動きを抑制されている。また、スライドレール５２，５２には係止部が設けられ、奥方向（後）のスライドが所定位置までになるように抑制されている。更に、キャスター付スライド台５１上の廃液タンクの口が廃液パイプ４５相当位置になるように設定されている。
【００９６】
廃液タンクを再設置する際は、伸縮ノズル４６を持ち上げて縮んだ状態とし、キャスター付スライド台５１を後方に押し入れる。
【００９７】
これにより、廃液タンク口を確実に廃液パイプ４５相当位置に調整することができる。
【００９８】
〜洗浄機構〜
本装置は、主に注液作業を行うものであり、検体臓器の部位切り出し作業に比べて、作業スペース等が汚れるおそれが少ない。したがって、洗浄の必要性は低い。
【００９９】
一方で、本装置は廃液濾過にも適用できる。また、注液作業に伴い作業スペース等が汚れるおそれがないわけではない。したがって、洗浄機構があることが好ましい。
【０１００】
ところで、廃液は産業廃棄物として処理され、従量制で処理費用が発生する。したがって、洗浄水が廃液タンクに混入すると廃液濃度が薄まり不経済となる。
【０１０１】
本装置は、洗浄機構６０を備えていてもよい。図１３は洗浄機構の詳細図である。
【０１０２】
本装置はシンク６１と併設される。洗浄機構６０は切替弁６２と分岐パイプ６３とから構成される。
【０１０３】
切替弁６２は廃液を廃液タンクに導く廃液パイプ４５の途中に設けられている。分岐パイプ６３は切替弁６２位置において廃液パイプ４５から分岐してシンク６１に連通する。
【０１０４】
切替弁６２を切り替えることで、廃液タンクへの流路がシンクへの流路へ切り替わる。すなわち、廃液濾過作業する場合は廃液を廃液タンクに流し、洗浄作業をする場合は、洗浄水をシンク６１に流す。
【０１０５】
洗浄水が廃液タンクに混入することなく、経済的に廃液処理できる。
【０１０６】
〜変形例〜
本願発明は上記実施形態に限定されるものでなく、技術思想の範囲で、種々の変形が可能である。
【０１０７】
ところで、上記実施形態は、注液機構、吸引機構、キュービーテナースライド機構、保管機構、廃液濾過機構および廃液タンクスライド機構を有する（洗浄機構を有していてもよい）。各機構が相互に作用しあうよう有機的に一体となっているため、各効果が向上する。すなわち、各機構の組み合わせにより、使用者は格段の利便性を得ることができる。
【０１０８】
しかしながら、上各機構の一部を組み合わせただけでも、相応の効果が得られる。たとえば、注液機構と吸引機構とキュービーテナースライド機構との組み合わせ、注液機構と吸引機構と保管機構との組み合わせ、廃液濾過機構と廃液タンクスライド機構との組み合わせなどが考えられる。
【符号の説明】
【０１０９】
１    作業スペース部
２    キュービーテナー載置台
３    左壁部
４    右壁部
５    後壁部
６    排気ダクト
７    天板部
８    脚部
９    下部空間
１０  吸引機構
１１  第１吸引機構
１２  第２吸引機構
１３  第３吸引機構
１４  吸引経路
１５  吸引経路
２０  キュービーテナースライド機構
２１  スライド板
２２  スライドレール
３０  保管機構
３１  上面カバー
３２  前面カバー
３３  インサイドロック
３４    通気孔
４０    廃液濾過機構
４１    蓋部
４２    第１濾過空間
４３    濾過板
４４    第２濾過空間
４５    廃液パイプ
４６    伸縮ノズル
５０    廃液タンクスライド機構
５１    キャスター付スライド台
５２    スライドレール
６０    洗浄機構
６１    シンク
６２    切替弁
６３    分岐パイプ
【図１】
0006787657.tif 000002
【図２】
0006787657.tif 000003
【図３】
0006787657.tif 000004
【図４】
0006787657.tif 000005
【図５】
0006787657.tif 000006
【図６】
0006787657.tif 000007
【図７】
0006787657.tif 000008
【図８】
0006787657.tif 000009
【図９】
0006787657.tif 000010
【図１０】
0006787657.tif 000011
【図１１】
0006787657.tif 000012
【図１２】
0006787657.tif 000013
【図１３】
0006787657.tif 000014